(57)【要約】  本発明は自己組織化ネットワーク伝送自己配置の方法及び装置を開示し、前記方法は、動的ホスト配置プロトコルDHCPクライアント機はその設備標識をDHCPサーバーに報告することと、前記DHCPサーバーは前記設備標識によって前記DHCPクライアント機に伝送パラメータを配置し、前記DHCPクライアント機に送信し、前記伝送パラメータは前記DHCPクライアント機のIPアドレスを少なくとも備えることと、前記DHCPクライアント機は伝送パラメータによって自己配置することとを含む。本発明は設備標識を用いて固定のIPアドレスを割り当てることによって、MACアドレスを用いて固定IPを割り当てることによる欠陥を克服でき、強いメンテナンス性を備える。【選択図】          図２
2012529202.tif 000002
【特許請求の範囲】
【請求項１】
自己組織化ネットワーク伝送自己配置の方法であって、
動的ホスト配置プロトコルDHCPクライアント機はその設備標識をDHCPサーバーに報告することと、
前記DHCPサーバーは前記設備標識によって前記DHCPクライアント機に伝送パラメータを配置し、且つ前記伝送パラメータを前記DHCPクライアント機に送信し、前記伝送パラメータは前記DHCPクライアント機のIPアドレスを少なくとも備えることと、
前記DHCPクライアント機は前記伝送パラメータによって自己配置することとを含む。
【請求項２】
前記伝送パラメータは前記DHCPクライアント機のストリーム制御転送プロトコルSCTPポート番号と、移動性管理実体MMEのIPアドレス及びSCTPポート番号をさらに含み、
前記方法はさらに、前記DHCPクライアント機は前記伝送パラメータによってMMEとのSCTPリンク確立を行い、伝送の自己設立を完成することを含む請求項1に記載の方法。
【請求項３】
前記DHCPクライアント機は信頼できるDHCPサーバー標識を設置することと、
前記DHCPサーバーは前記伝送パラメータをDHCPクライアント機に伝送する際に、また、自身の標識を前記DHCPクライアント機に伝送することと、
前記DHCPクライアント機は前記伝送パラメータを用いて自己配置する前に、受信した前記DHCPサーバーの標識によって認証し、該標識が信頼できるDHCPサーバー標識に属することを確認した後、前記伝送パラメータを用いて自己配置することとをさらに含む請求項1に記載の方法。
【請求項４】
前記DHCPクライアント機は前記DHCPサーバーの標識が信頼できるDHCPサーバー標識に属することを確認した後、DHCPメッセージをDHCPサーバーに伝送し、前記DHCPクライアント機のIPアドレスが既に占用されることを確認することをさらに含む請求項3に記載の方法。
【請求項５】
前記DHCPクライアント機とDHCPサーバーはDHCPメッセージオプションフィールドの予定意味を予め約束することと、
DHCPクライアント機はその設備標識をDHCPサーバーに報告するステップでは、前記DHCPクライアント機は予め約束したDHCPメッセージオプションフィールドによってその設備標識を携帯し、その設備標識をDHCPサーバーに報告することと、
前記DHCPサーバーはまた自身の標識を前記DHCPクライアント機に伝送するステップでは、前記DHCPサーバーは予め約束したDHCPメッセージオプションフィールドによって自身の標識を携帯し、自身の標識を前記DHCPクライアント機に伝送することとを含む請求項3に記載の方法。
【請求項６】
前記伝送パラメータを前記DHCPクライアント機に伝送するステップでは、前記DHCPサーバーは予め約束したDHCPメッセージオプションフィールドによって前記伝送パラメータを携帯し、前記伝送パラメータを前記DHCPクライアント機に伝送する請求項5に記載の方法。
【請求項７】
前記DHCPサーバーには設備標識と伝送パラメータの対応表が設置され、
前記DHCPクライアント機に伝送パラメータを配置するステップでは、前記DHCPサーバーは前記対応表によって前記DHCPクライアント機に伝送パラメータを配置する請求項1に記載の方法。
【請求項８】
自己組織化ネットワーク伝送自己配置をサポートする動的ホスト配置プロトコルDHCPクライアント機であって、
前記DHCPクライアント機は、その設備標識をDHCPサーバーに報告し、DHCPサーバーが伝送した伝送パラメータによって自己配置し、移動性管理実体MMEとのストリーム制御転送プロトコルSCTPリンク確立を行うように設置される。
【請求項９】
前記DHCPクライアント機はさらに、信頼できるDHCPサーバー標識を設置し、受信したDHCPサーバー標識によって認証し、信頼できるDHCPサーバー標識に属すると、前記伝送パラメータを用いて自己配置するように設置される請求項8に記載のDHCPクライアント機。
【請求項１０】
自己組織化ネットワーク伝送自己配置をサポートする動的ホスト配置プロトコルDHCPサーバーであって、前記DHCPサーバーは、DHCPクライアント機の設備標識によって前記DHCPクライアント機に伝送パラメータを配置し、前記DHCPクライアント機に伝送し、前記DHCPクライアント機が前記伝送パラメータによって自己配置させ、移動性管理実体MMEとのストリーム制御転送プロトコルSCTPリンク確立を行わせるように設置される。
【請求項１１】
前記DHCPサーバーはさらに、伝送パラメータをDHCPクライアント機に伝送する際に、自身の標識を前記DHCPクライアント機に送信し、前記DHCPクライアント機が前記標識によって認証を行わせるように設置される請求項10に記載のDHCPサーバー。
【請求項１２】
自己組織化ネットワーク伝送自己配置の装置であって、動的ホスト配置プロトコルDHCPクライアント機とDHCPサーバーを備え、
前記DHCPクライアント機は、その設備標識をDHCPサーバーに報告し、DHCPサーバーが発信した伝送パラメータによって自己配置するように設置され、
前記DHCPサーバーは、設備標識によって前記DHCPクライアント機に伝送パラメータを配置し、前記DHCPクライアント機に送信し、前記DHCPクライアント機が前記伝送パラメータによって自己配置を行わせるように設置され、
前記伝送パラメータは前記DHCPクライアント機のIPアドレスを少なくとも備える。
【請求項１３】
前記伝送パラメータは前記DHCPクライアント機のストリーム制御転送プロトコルSCTPポート番号、移動性管理実体MMEのIPアドレス及びSCTPポート番号をさらに含み、
前記DHCPクライアント機はさらに、前記伝送パラメータによってMMEとのSCTPリンク確立を行い、伝送の自己設立を完成するように設置される請求項12に記載の装置。
【請求項１４】
前記DHCPクライアント機はさらに、信頼できるDHCPサーバー標識を設置し、及び受信したDHCPサーバー標識によって認証し、信頼できるDHCPサーバー標識に属すると、前記伝送パラメータを用いて自己配置するように設置され、
前記DHCPサーバーはさらに、伝送パラメータをDHCPクライアント機に送信する際に、自身の標識を前記DHCPクライアント機に伝送し、前記DHCPクライアント機が前記標識によって認証を行わせるように設置される請求項12に記載の装置。
【発明の詳細な説明】
【技術分野】
【０００１】
本発明はSON（Self-Organized Network、自己組織化ネットワーク）及びDHCP（Dynamic Host Configuration Protocol、動的ホスト配置プロトコル）関連分野に関し、特にSON伝送自己配置の方法及び装置に関する。
【背景技術】
【０００２】
DHCPは大規模ネットワークIPアドレスの自動的に割り当てる問題を解決することができるが、ネットワーク及び設備管理に便利するため、ユーザー設備標識によって固定IPアドレスを取得する必要が可能である。従来の基地局設備は、現場に工事者を配置してノート・パソコンを使ってそれぞれのステーションを初期IPアドレス等の伝送パラメータの配置を行う必要があって、次にOMC（Operation and Maintenance Centre、運用保守センタ、即ちネットワーク管理センタ）それを管理することができ、LTE（Long Term Evolution、ロングタームエボリューション）はSONの概念を導入し、SON伝送の自己設立が基地局の伝送パラメータの自己配置、伝送チャンネルの自己設立を要求する。
【発明の概要】
【発明が解決しようとする課題】
【０００３】
従来のSON伝送の自己設立は、一般的にMAC（Medium Access Control，媒体アクセス制御）アドレスによって固定IPを割り当て、次に、基地局はOMCから伝送配置データを取得して自己配置する方式を採用するが、以下の欠陥がある。
【０００４】
1、MACアドレスに基づく固定割り当てが、ネットワーク管理に不便で、MACアドレスが１つのネットワークカードのみを代表し、設備に複数のネットワークカードを有し、ネットワークカードが変換される可能があって、それが1つの設備を代表できないこと、
2、製造業者が持ったMACアドレスが制限されるため、製造業者は、一般的に異なる地域によって同様な1セットのMACアドレスを用いて、同じ領域内のMACアドレスが基本的に競合しなく、少ないMAC競合が存在すると、基地局は競合を検出して一定なアルゴリズムに従ってMACを変更する方式を採用するため、MACアドレスが対応するIPは取得できなく或いは取得が競合であることによる基地局がステーション停止、及び続いた取得によるネットワークストーム等非常によくない影響を招致すること、
3、パラメータの伝送がDHCPサーバー（Server）とOMCに同時に管理する必要があり、自己組織の拡張性を備えない。
【課題を解決するための手段】
【０００５】
本発明はSON伝送自己配置の方法及び装置を提案し、従来技術においてMACアドレスを用いて固定IPを割り当てるによる上記の欠陥を招致することを解決する。
【０００６】
前記の技術問題を解決するために、本発明は自己組織化ネットワーク伝送自己配置の方法を提供して、
動的ホスト配置プロトコルDHCPクライアント機はその設備標識をDHCPサーバーに報告することと、
前記DHCPサーバーは前記設備標識によって前記DHCPクライアント機に伝送パラメータを配置し、前記DHCPクライアント機に送信し、前記伝送パラメータは前記DHCPクライアント機のIPアドレスを少なくとも備えることと、
前記DHCPクライアント機は伝送パラメータによって自己配置することを含む。
【０００７】
前記方法はさらに、
前記伝送パラメータは前記DHCPクライアント機のストリーム制御転送プロトコルSCTPポート番号、移動性管理実体MMEのIPアドレス及びSCTPポート番号をさらに含む特徴と、
前記DHCPクライアント機はさらに前記伝送パラメータによってMMEとのSCTPリンク確立を行い、伝送の自己設立を完成する特徴とを備えても良い。
【０００８】
前記方法はさらに、
前記DHCPクライアント機は信頼できるDHCPサーバー標識を設置することと、
前記DHCPサーバーは前記伝送パラメータをDHCPクライアント機に伝送する際に、また、自身の標識を前記DHCPクライアント機に伝送することと、
前記DHCPクライアント機は受信したDHCPサーバー標識によって認証し、信頼できるDHCPサーバー標識に属すると、前記伝送パラメータを用いて自己配置することを含む。
【０００９】
前記方法はさらに、
前記DHCPクライアント機は受信したDHCPサーバー標識によって認証した後、信頼できるDHCPサーバー標識に属すると、DHCPメッセージをDHCPサーバーに伝送し、前記DHCPクライアント機のIPアドレスが占用されると確認することを含む。
【００１０】
前記方法はさらに、
前記DHCPクライアント機とDHCPサーバーはDHCPメッセージオプションフィールドの予定意味を予め約束する特徴と、
前記DHCPクライアント機は予め約束したDHCPメッセージオプションフィールドによってその設備標識を携帯し、その設備標識をDHCPサーバーに報告する特徴と、及び
前記DHCPサーバーは予め約束したDHCPメッセージオプションフィールドによって自身の標識を携帯し、自身の標識を前記DHCPクライアント機に伝送する特徴を備えても良い。
【００１１】
前記方法は、
前記DHCPサーバーは予め約束したDHCPメッセージオプションフィールドによって前記伝送パラメータを携帯し、前記伝送パラメータを前記DHCPクライアント機に伝送する特徴を備えても良い。
【００１２】
前記方法は、
前記DHCPサーバーには設備標識と伝送パラメータの対応表が設置され、DHCPクライアント機はその設備標識をDHCPサーバーに報告する際に、前記DHCPサーバーは前記対応表によって前記DHCPクライアント機に伝送パラメータを配置する特徴を備えても良い。
【００１３】
本発明はさらに自己組織化ネットワーク伝送自己配置をサポートする動的ホスト配置プロトコルDHCPクライアント機を提供して、前記DHCPクライアント機は、その設備標識をDHCPサーバーに報告し、DHCPサーバーが伝送した伝送パラメータによって自己配置し、移動性管理実体MMEとのストリーム制御転送プロトコルSCTPリンク確立を行うように設置される。
【００１４】
前記DHCPクライアント機はさらに、信頼できるDHCPサーバー標識を設置し、受信したDHCPサーバー標識によって認証し、信頼できるDHCPサーバー標識に属すると、前記伝送パラメータを用いて自己配置するように設置されてもよい。
【００１５】
本発明はさらに自己組織化ネットワーク伝送自己配置をサポートする動的ホスト配置プロトコルDHCPサーバーを提供して、前記DHCPサーバーは、DHCPクライアント機の設備標識によって前記DHCPクライアント機に伝送パラメータを配置し、前記DHCPクライアント機に伝送し、前記DHCPクライアント機が前記伝送パラメータによって自己配置し、移動性管理実体MMEとのストリーム制御転送プロトコルSCTPリンク確立を行うように設置され。
【００１６】
前記DHCPサーバーは、伝送パラメータをDHCPクライアント機に伝送する際に、自身の標識を前記DHCPクライアント機に送信し、前記DHCPクライアント機が前記標識によって認証するように設置されてもよい。
【００１７】
前記技術問題を解決するために、本発明はさらに自己組織化ネットワーク伝送自己配置の装置を提供して、DHCPクライアント機とDHCPサーバーを備え、
前記DHCPクライアント機は、その設備標識をDHCPサーバーに報告し、DHCPサーバーが発送した伝送パラメータによって自己配置するように設置され、
前記DHCPサーバーは、前記設備標識によって前記DHCPクライアント機に伝送パラメータを配置し、前記DHCPクライアント機に送信し、前記DHCPクライアント機が前記伝送パラメータによって自己配置するように設置され、
前記伝送パラメータは前記DHCPクライアント機のIPアドレスを少なくとも備える。
【００１８】
前記装置はさらに、
前記伝送パラメータは前記DHCPクライアント機のSCTPポート番号、MMEのIPアドレス及びSCTPポート番号をさらに含む特徴と、
前記DHCPクライアント機はさらに、前記伝送パラメータによってMMEとのSCTPリンク確立を行い、伝送の自己設立を完成するように設置され特徴とを備えても良い。
【００１９】
前記装置は、
前記DHCPクライアント機はさらに、信頼できるDHCPサーバー標識を設置し、及び受信したDHCPサーバー標識によって認証し、信頼できるDHCPサーバー標識に属すると、前記伝送パラメータを用いて自己配置するように設置され、
前記DHCPサーバーはさらに、前記伝送パラメータをDHCPクライアント機に送信する際に、自身の標識を前記DHCPクライアント機に伝送し、前記DHCPクライアント機が前記標識によって認証するように設置される特徴を備えても良い。
【発明の効果】
【００２０】
本発明は設備標識（通常に設備全体の資産管理情報等を代表することができる）を用いて固定なIPを割り当てる方法を提案し、DHCPサーバーは伝送パラメータを配置し、それとIPアドレスを一緒に基地局に送信させ、基地局が自己配置し、伝送の自己設立の過程を完成する。工事メンテナンススタッフはただ同時にフラッシュディスクに記憶して見やすいところに貼り付けた設備標識をOMCに報告するだけで、OMCがDHCPサーバーには相応してIPと他のパラメータを設置すれば、伝送の自己配置、自己設立を完成でき、強いメンテナンス性を有する。
【図面の簡単な説明】
【００２１】
【図１】[図1]は本発明における実施例の装置模式図である。
【図２】[図2]は本発明における実施例の方法フローチャートである。
【図３】[図3]は本発明におけるアプリケーション例のフローチャートである。
【発明を実施するための形態】
【００２２】
LTEはSONの重大の機能を導入し、SONが基地局始動と運転過程中に、人工の介入をできるだけ減少する中心思想とする。
【００２３】
本発明において、DHCPクライアント機（基地局）はその設備標識をDHCPサーバーに報告し、DHCPサーバーは前記設備標識によってDHCPクライアント機に伝送パラメータを配置し、DHCPクライアント機に送信し、DHCPクライアント機に自己配置、自己設立の過程を完成させる。
【００２４】
その中、前記伝送パラメータは前記DHCPクライアント機のIPアドレスを少なくとも含み、前記DHCPクライアント機のSCTP（Stream Control Transport Protocol、ストリーム制御転送プロトコル）ポート番号、MME（Mobile Management Entity、移動性管理実体）のIPアドレス及びSCTPポート番号等のカップリング関連の情報をさらに含む。
【００２５】
また、DHCPサーバーはDHCPサーバー標識をDHCPクライアント機に伝送でき、DHCPクライアント機は該標識によってDHCPサーバーを認証し、認証された後、それが割り当てた伝送パラメータを用いる。
【００２６】
以下で、図面及び具体的な実施例を参照して本発明について詳細に説明する。
【００２７】
図1に示すように、本発明における実施例の装置はDHCPクライアント機とDHCPサーバーを備え、
前記DHCPクライアント機は、その設備標識をDHCPサーバーに報告し、DHCPサーバーが発送した伝送パラメータによって自己配置、自己設立するように設置され、前記DHCPサーバーは前記設備標識によって前記DHCPクライアント機に伝送パラメータを配置し、前記DHCPクライアント機に送信するように設置される。
【００２８】
前記DHCPクライアント機は、信頼できるDHCPサーバー標識を設置し、及び受信したDHCPサーバー標識によって認証し、信頼できるDHCPサーバー標識に属すると、前記伝送パラメータを用いて自己配置するようにさらに設置され、前記DHCPサーバーは、前記伝送パラメータをDHCPクライアント機に送信する際に、さらに自身の標識を前記DHCPクライアント機に伝送するようにさらに設置される。
【００２９】
本実施例において、DHCPクライアント機は特別なニーズを満たすために設計するものであり、DHCPサーバーを簡単に認証でき、DHCPサーバーがDHCPメッセージオプション（option）フィールドによって送信したデータ情報を識別して利用でき、DHCPサーバーが自身の標識情報を配置でき、DHCPクライアント機が報告した設備標識についてDHCPメッセージオプションフィールド値を配置するのを満たす場合、特別な設計が不要である。
【００３０】
図1に示すように、DHCPクライアント機a〜cはその設備標識を報告することにはブロードキャストの方式を採用でき、DHCPサーバーA〜Bは何れも報告した設備標識を受信し、DHCPサーバーA〜Bは受信した設備標識によってルックアップして伝送パラメータ割り当てる必要があるか否かを判断し、必要があると、割り当てた伝送パラメータを相応のDHCPクライアント機に伝送し、DHCPクライアント機は受信したDHCPサーバー標識によってDHCPサーバーを認証することもできる。
【００３１】
図2に示すように、本発明における実施例はIPの静的割り当てを実現する過程は、設備が唯一の設備標識を備えることを要求する、具体的なステップは以下の通りである。
【００３２】
ステップ201、DHCPクライアント機は信頼できるDHCPサーバー標識を設置し、
ステップ202、DHCPサーバーは伝送ネットワーク計画等のそれぞれの要素によって設備標識と伝送パラメータの対応表を構造し、DHCPサーバー自身標識を配置し、
その中、伝送パラメータはDHCPクライアント機のIPアドレスを少なくとも含み、DHCPクライアント機のSCTPポート番号、MMEのIPアドレス及びSCTPポート番号等のカップリング関連の情報をさらに含み、
ステップ203、DHCPクライアント機はDHCPメッセージを構造してDHCPサーバーにその設備標識を報告し、
DHCPクライアント機は予めDHCPサーバーとDHCPメッセージにおいてオプション（option）フィールドの予定意味を約束でき、このステップでに、DHCPクライアント機はDHCPサーバーにDHCPDISCORVER（発見）メッセージを伝送することによって、該メッセージにおいてoption77（user class id、ユーザークラスID）フィールドによって設備標識を携帯し、
ステップ204、DHCPサーバーはDHCPクライアント機が提供した設備標識によって、標識と伝送パラメータとの対応表を検索して該クライアント機のIPアドレスを割り当て、DHCPメッセージを構造し、メッセージには該クライアント機のIPアドレスと自身の標識を携帯し、DHCPクライアント機に伝送し、
このステップでは、DHCPサーバーの対応表の検索が失敗すると、該DHCPクライアント機が伝送したメッセージを捨て、後のステップを実行しなく、
このステップでは、DHCPサーバーはDHCPOFFERメッセージを構造でき、option43（Vendor Specific Information、サプライヤー特定情報）フィールドでDHCPサーバー標識を携帯し、他のオプションフィールド（例えばoption6、option41等のフィールド）で他の伝送パラメータ（例えばMMEのIPアドレス等）を携帯し、
DHCPサーバーは固定IPアドレスを割り当てることができると、DHCPOFFERメッセージ本文ではクライアント機のIPアドレスを携帯でき、汎用のDHCPサーバーを用いると、それがアドレスプール管理を使用するため、固定なIPをDHCPクライアント機にを割り当てることができないので、DHCPサーバーはDHCPOFFERメッセージにおいてoption41（NIS）が使用して割り当てるIPアドレスを携帯することができ、
ステップ205、DHCPクライアント機はDHCPサーバー標識を解析し、該クライアント機が信頼できるサーバーであると、受信した伝送パラメータによって自己配置、自己設立し、
このステップでは、DHCPクライアント機がDHCPサーバー標識によって該クライアント機が信頼できるサーバーであると判断すると、DHCPINFORMメッセージをDHCPサーバーに伝送し、IPアドレスが占用されたと確認し、DHCPサーバーがDHCPINFORMメッセージを受信した後クライアント機にACKをリターンし、DHCPクライアント機がDHCPサーバー標識によって信頼できないサーバーであると判断すると、該DHCPOFFERメッセージを捨てる。
【００３３】
以下で、具体的なアプリケーション例をさらに本発明について説明する。
【００３４】
図3に示すように、仮に本発明はLTE基地局（DHCPクライアント機）の伝送の自己設立に用いられ、基地局が電源投入する際にDHCPサーバーから自身IPアドレス及びSCTPポート番号、MMEのIPアドレス及びSCTPポート番号等の伝送パラメータを取得し、次に、基地局が自己を配置して伝送の自己設立を完成し、具体的に以下のステップを含む。
【００３５】
ステップ301、LTE基地局とDHCPサーバーはoptionフィールドの予定意味を約束し、具体的に後のステップに含まれ、
ステップ302、LTE基地局は信頼できるDHCPサーバー標識を予め設置し、
ステップ303、OMC（LTE基地局とDHCPサーバーを管理することに用いられる）は伝送ネットワーク計画等のそれぞれの要素によってDHCPサーバーにLTE基地局標識とIPアドレス、SCTPポート番号の対応表を配置し、DHCPサーバー自身標識を配置し、
ステップ304、LTE基地局はDHCPDISCORVERメッセージを構造し、option77（user class id）によって基地局標識を報告し、
ステップ305、DHCPサーバーはLTE基地局が提供した設備標識によって標識とIP等の対応表を検索してIPを割り当て、DHCP OFFERメッセージを構造し、option43（Vendor Specific Information）フィールドでDHCPサーバー標識、option6でMMEのIPアドレス、option41で基地局のIPアドレス、option44で基地局とMMEのカップリングポート番号を携帯し、ルックアップが失敗すると、該メッセージを捨て、後のステップを実行しなく、
ステップ306、LTE基地局はDHCPサーバー標識を解析し、基地局が信頼できるサーバーであると、DHCP INFORMメッセージをDHCPサーバーに送信し、IPアドレスが占用されると確認し、非信任サーバーであると、該メッセージを捨て、後のステップを実行しなく、
ステップ307、DHCPサーバーはDHCP INFORMメッセージを受信した後LTE基地局にACKをリターンし、
ステップ308、LTE基地局は答えを受信した後自身パラメータを配置し、MMEにSCTPリンク確立の要求を出し始め、伝送の自己設立を完成する。
【００３６】
以上のように、本発明はDHCPがIPの静的割り当ての方法及びその装置を提案し、該方法及び装置は特定設備が固定IP割り当てる必要がある場合に適用され、特にLTE基地局におけるSONが要求する伝送の自己設立に適用される。
【００３７】
本発明はさらに他の多種の実施例に適用できることも言うまでもなく、本発明の精神及びその実質を外しない場合であれば、本分野の技術者にとって本発明によってそれぞれの相応の改変と変形を行ってもよいが、これらの相応の改変と変形はいずれも本発明における請求項の保護範囲に属すべきである。
【産業上の利用可能性】
【００３８】
従来技術に比べ、本発明が提供した自己組織化ネットワーク伝送自己配置の方法及び装置は強いメンテナンス性を備える。
【図１】
2012529202.tif 000003
【図２】
2012529202.tif 000004
【図３】
2012529202.tif 000005
【国際調査報告】
2012529202.tif 000006
2012529202.tif 000007
2012529202.tif 000008
2012529202.tif 000009